(57)【要約】【課題】機能を実行する前に行う電子原稿の検索操作にかかる手間を軽減すること。【解決手段】アプリケーションを呼び出すためのアイコン及びアプリケーションの動作設定を記録したマクロを呼び出すためのアイコンが配置された機能一覧画面の画面情報を記憶する画面情報記憶手段と、所定の記憶手段に記憶された画像を検索するメモリ管理手段と、メモリ管理手段により検索された画像に対し、アイコン登録することを示すユーザ操作を受け付ける操作手段と、ユーザ操作を受けた画像に対するアイコンを機能一覧画面に登録し、機能一覧画面の画面情報により画面情報記憶手段に記憶された画面情報を更新する編集手段と、更新後の画面情報に基づいて生成された機能一覧画面を表示制御する表示制御手段と、を備える。【選択図】図３
2013145483.tif 000002
【特許請求の範囲】
【請求項１】
アプリケーションを呼び出すためのアイコン及びアプリケーションの動作設定を記録したマクロを呼び出すためのアイコンが配置された機能一覧画面の画面情報を記憶する画面情報記憶手段と、
所定の記憶手段に記憶された画像を検索するメモリ管理手段と、
前記メモリ管理手段により検索された画像に対し、アイコン登録することを示すユーザ操作を受け付ける操作手段と、
前記ユーザ操作を受けた画像に対するアイコンを前記機能一覧画面に登録し、該機能一覧画面の画面情報により前記画面情報記憶手段に記憶された画面情報を更新する編集手段と、
前記編集手段により更新された画面情報に基づいて生成された機能一覧画面を表示制御する表示制御手段と、
を備える画像処理装置。
【請求項２】
前記表示制御手段は、
前記画像のアイコンの選択の後に、前記アプリケーション又は前記マクロのアイコンの選択が前記操作手段により受け付けられた場合、選択された前記画像を、選択された前記アプリケーション又は前記マクロに対する入力画像としてジョブの実行を要求する請求項1記載の画像処理装置。
【請求項３】
前記表示制御手段は、
前記画面情報に基づいて作成された機能一覧画面を表示制御する際、前記画像のアイコンから所定範囲以内に、前記画像のフォーマットに応じて出力可能なアプリケーションを示す情報を表示制御する請求項１又は２記載の画像処理装置。
【請求項４】
前記表示制御手段は、
アイコン登録された画像へのアクセス状態に応じて、利用可能な画像のアイコンと、利用不可能なアイコンとを区別して表示制御する請求項１乃至３いずれか一項に記載の画像処理装置。
【請求項５】
前記表示制御手段は、
前記操作手段により前記画像のアイコンの選択が受け付けられた場合、前記アプリケーション又は前記マクロのアイコンに対し、選択が受け付けられた画像のフォーマットに応じて利用可能か否かを区別して表示制御する請求項１乃至４いずれか一項に記載の画像処理装置。
【請求項６】
前記表示制御手段は、
前記画像のアイコンの選択の後に、前記アプリケーション又は前記マクロのアイコンを複数選択できるよう表示制御する請求項１乃至５いずれか一項に記載の画像処理装置。
【請求項７】
前記表示制御手段は、
前記画像のアイコンに対し複数の選択を可能にするよう表示制御し、選択された順番を示す番号を前記画像のアイコンに付与する請求項１乃至６いずれか一項に記載の画像処理装置。
【請求項８】
前記画像のアイコンのアイコン画像は、前記画像のサムネイル画像である請求項１乃至７いずれか一項に記載の画像処理装置。
【請求項９】
所定の記憶手段に記憶された画像を検索する検索ステップと、
前記検索された画像に対し、アイコン登録することを示すユーザ操作を受け付ける受付ステップと、
前記ユーザ操作を受けた画像に対するアイコンを、アプリケーションを呼び出すためのアイコン及びアプリケーションの動作設定を記録したマクロを呼び出すためのアイコンが配置された機能一覧画面に登録し、該機能一覧画面の画面情報を画面情報記憶手段に記憶する記憶ステップと、
前記記憶された画面情報に基づいて生成された機能一覧画面を表示制御する表示制御ステップと、
を有する画像処理方法。
【請求項１０】
所定の記憶手段に記憶された画像を検索する検索ステップと、
前記検索された画像に対し、アイコン登録することを示すユーザ操作を受け付ける受付ステップと、
前記ユーザ操作を受けた画像に対するアイコンを、アプリケーションを呼び出すためのアイコン及びアプリケーションの動作設定を記録したマクロを呼び出すためのアイコンが配置された機能一覧画面に登録し、該機能一覧画面の画面情報を画面情報記憶手段に記憶する記憶ステップと、
前記記憶された画面情報に基づいて生成された機能一覧画面を表示制御する表示制御ステップと、
をコンピュータに実行させるためのプログラム。
【発明の詳細な説明】
【技術分野】
【０００１】
本発明は、ＵＩ画面のカスタマイズを行う画像処理装置、画像処理方法及びプログラムに関する。
【背景技術】
【０００２】
近年、複合機は、多機能性が進歩し、標準搭載するアプリケーション（コピー、スキャナ、FAX、プリンタ）に加え、Software Development Kit（以下、ＳＤＫともいう）を使用して３ｒｄベンダーが追加するアプリケーション、Webページの閲覧といった機能が搭載されている。また、複合機は、各アプリケーション（例えばコピーアプリ）に事前に登録された設定値（例えばA4サイズ、白黒、集約、ステープルあり）を呼び出すことができるマクロ機能も搭載されている。
【０００３】
一方、多機能化した複合機は、後から追加したアプリケーションやマクロ機能を使用する場合、ユーザの操作数が多くなってしまう。これに対し、特許文献１には、搭載したアプリケーション機能や事前登録したマクロを登録し、登録した情報の呼び出しを容易にするＵＩが開示されている。
【発明の概要】
【発明が解決しようとする課題】
【０００４】
しかし、今までのホーム画面は、アプリやマクロのように印刷、送信といった利用目的が明確である機能へのショートカットアイコンを配置可能とするのみである。よって、複合機のＨＤＤに保存された電子原稿、ＵＳＢやＳＤ等の外部メディアに保存された電子原稿、ネットワーク接続された他画像処理装置やクラウド上に保存された電子原稿のように選択時点で利用目的（出力用途）が確定していないものを配置することはできない。
【０００５】
そのため、目的の電子原稿を印刷、送信する際には事前にホーム画面からアプリやマクロを起動し、ホーム画面から遷移した画面から電子原稿を検索する必要があり、ユーザによる操作ステップ数が増加してしまう問題があった。
【０００６】
そこで本発明は、上記問題に鑑みてなされたものであり、機能を実行する前に行う電子原稿の検索操作にかかる手間を軽減することができる画像処理装置、画像処理方法及びプログラムを提供することを目的とする。
【課題を解決するための手段】
【０００７】
本発明の一態様における画像処理装置は、アプリケーションを呼び出すためのアイコン及びアプリケーションの動作設定を記録したマクロを呼び出すためのアイコンが配置された機能一覧画面の画面情報を記憶する画面情報記憶手段と、所定の記憶手段に記憶された画像を検索するメモリ管理手段と、前記メモリ管理手段により検索された画像に対し、アイコン登録することを示すユーザ操作を受け付ける操作手段と、前記ユーザ操作を受けた画像に対するアイコンを前記機能一覧画面に登録し、該機能一覧画面の画面情報により前記画面情報記憶手段に記憶された画面情報を更新する編集手段と、前記編集手段により更新された画面情報に基づいて生成された機能一覧画面を表示制御する表示制御手段と、を備える。
【発明の効果】
【０００８】
本発明によれば、機能を実行する前に行う電子原稿の検索操作にかかる手間を軽減することができる。
【図面の簡単な説明】
【０００９】
【図１】実施例における画像処理システムの一例を示す図。
【図２】実施例における画像処理装置のハードウェアの一例を示す図。
【図３】実施例における画像処理装置の機能の一例を示すブロック図。
【図４】ホーム画面の一例（その１）を示す図。
【図５】ホーム画面情報の一例（その１）を示す図。
【図６】ホーム編集画面を表示する処理の一例を示すシーケンス図。
【図７】画像のショートカット登録の一例を示すシーケンス図。
【図８】ホーム画面情報の一例（その２）を示す図。
【図９】ユーザＡのホーム画面を表示する処理の一例を示すシーケンス図。
【図１０】出力可能アプリ情報の一例を示す図。
【図１１】ホーム画面の一例（その２）を示す図。
【図１２】ホーム画面の一例（その３）を示す図。
【図１３】画像のショートカット選択後に、ジョブ実行する処理の一例を示すシーケンス図。
【図１４】ホーム画面の一例（その４）を示す図。
【図１５】画像のショートカット選択後に、複数のジョブを実行する処理の一例を示すシーケンス図。
【図１６】ホーム画面の一例（その５）を示す図。
【図１７】画像のショートカットを複数選択後に、１つのジョブを実行する処理の一例を示すシーケンス図。
【図１８】ホーム画面の一例（その６）を示す図。
【発明を実施するための形態】
【００１０】
以下、本発明の実施例を図面に基づいて説明する。画像処理装置の一例としてＭＦＰ（Multifunction Peripheral）などが挙げられる。
［実施例］
＜画像処理システム＞
図１は、実施例における画像処理システム１の一例を示す図である。図１に示す画像処理システム１は、ネットワークを介して接続される画像処理装置Ａ１０、及び画像処理装置Ｂ２０、クラウドサービス３０を備える。図１に示す例では、画像処理システム１は、２つの画像処理装置、クラウドサービスを行うサーバを備えるが、ネットワークに接続される機器はこれに限られない。
【００１１】
図１に示す画像処理装置Ａ１０は、自装置に記憶された画像や、画像処理装置Ｂ２０に記憶された画像や、クラウドサービス３０に記憶された画像などを取得し、これらの画像のショートカットアイコンを生成する。画像処理装置Ａ１０は、画像のショートカットアイコンを機能一覧画面に表示する。
【００１２】
これにより、機能実行時に、機能一覧画面から他の画面に遷移して画像を検索する手間が省け、機能一覧画面に表示された画像のショートカットアイコンを選択した後に、その画像を入力画像として機能を実行することができる。
【００１３】
なお、機能一覧画面は、例えば、アプリケーションやマクロのショートカットアイコンを含むホーム画面である。以下、機能一覧画面の例としてホーム画面を用いて説明する。マクロは、アプリケーションで予め登録された各設定値や動作設定である。ショートカットアイコンは、アイコン又はショートカットとも呼ばれ、以下ではショートカットと呼ぶ。
【００１４】
以下、画像処理装置Ａ１０について、図面を用いて詳しく説明する。
【００１５】
＜ハードウェア＞
図２は、実施例における画像処理装置のハードウェアの一例を示す図である。本実施例では、画像処理装置Ａ１０及び画像処理装置Ｂ２０は、同様のハードウェアを有するため、画像処理装置Ａ１０を用いて説明する。
【００１６】
図２に示す例では、画像処理装置Ａ１０は、コントローラ１１、スキャナ１２、プリンタ１３、モデム１４、操作パネル１５、ネットワークインタフェース１６、及びＳＤカードスロット１７等のハードウェアを有する。画像処理装置Ａ１０は、例えば複合機等である。
【００１７】
コントローラ１１は、ＣＰＵ（Central Processing Unit）１１１、ＲＡＭ（Random Access Memory）１１２、ＲＯＭ（Read Only Memory）１１３、ＨＤＤ（Hard Disk Drive）１１４、及びＮＶＲＡＭ（Non Volatile RAM）１１５等を有する。
【００１８】
ＲＯＭ１１３には、各種のプログラムやプログラムによって利用されるデータ等が記憶されている。ＲＡＭ１１２は、プログラムをロードするための記憶領域や、ロードされたプログラムのワーク領域等として用いられる。
【００１９】
ＣＰＵ１１１は、ＲＡＭ１１２にロードされたプログラムを処理することにより、各種の機能を実現する。ＨＤＤ１１４には、プログラムやプログラムが利用する各種のデータ等が記憶される。ＮＶＲＡＭ１１５には、各種の設定情報等が記憶される。
【００２０】
スキャナ１２は、原稿より画像データを読み取るためのハードウェアである。プリンタ１３は、印刷データを印刷用紙に印刷するためのハードウェアである。モデム１４は、電話回線に接続するためのハードウェアであり、ＦＡＸ通信による画像データの送受信を実行するために用いられる。
【００２１】
操作パネル１５は、ユーザからの入力の受け付けを行うためのボタン等の入力手段や、液晶パネル等の表示手段等を備えたハードウェアである。ネットワークインタフェース１６は、ＬＡＮ等のネットワーク（有線又は無線の別は問わない）に接続するためのハードウェアである。
【００２２】
ＳＤカードスロット１７は、ＳＤカード８０に記憶されたプログラムを読み取るために利用される。すなわち、画像処理装置Ａ１０では、ＲＯＭ１１３に記憶されたプログラムだけでなく、ＳＤカード８０に記憶されたプログラムもＲＡＭ１１２にロードされ、実行されうる。
【００２３】
なお、他の記録媒体（例えば、ＣＤ−ＲＯＭ又はＵＳＢ（Universal Serial Bus）メモリ等）によってＳＤカード８０が代替されてもよい。すなわち、ＳＤカード８０の位置付けに相当する記録媒体の種類は、所定のものに限定されない。この場合、ＳＤカードスロット１７は、記録媒体の種類に応じたハードウェアによって代替されればよい。
【００２４】
＜機能＞
次に、画像処理装置Ａ１０の機能について説明する。図３は、実施例における画像処理装置Ａ１０の機能の一例を示すブロック図である。画像処理装置Ａ１０は、操作手段２０１、アプリケーション２１０、マクロ記憶手段２２０、エンジン管理手段２３１、送信管理手段２３２、メモリ管理手段２３３、ユーザ管理手段２３４、システム管理手段２４０、スキャン手段２５１、プリント手段２５２、ネットワーク管理手段２５３、及び記憶手段２５４を備える。
【００２５】
操作手段２０１は、ユーザインタフェースであり、ユーザからの操作に対する受付と応答を行う。また、操作手段２０１は、ホーム画面の表示操作、ホーム画面のカスタマイズを可能とする編集画面の操作なども受け付ける。
【００２６】
アプリケーション２１０は、各種画像処理サービスをユーザに提供するアプリケーションである。例えば、コピーアプリ２１１、ドキュメントボックスアプリ２１２、スキャナアプリ２１３、ファクス（ＦＡＸ）アプリ２１４、プリンタアプリ２１５、及びブラウザアプリ２１６などである。
【００２７】
マクロ記憶手段２２０は、各アプリケーションの設定値や動作設定を記憶する。例えば、コピーアプリ２１１の場合、両面、集約、パンチなどの各設定値がマクロとして登録され、この各設定値や動作設定がマクロ記憶手段２２０に記憶される。
【００２８】
エンジン管理手段２３１は、アプリケーション２１０から設定された動作モードに従い、スキャン手段２５１やプリント手段２５２を制御する。
【００２９】
送信管理手段２３２は、アプリケーション２１０から設定された動作モードに従い、ファクス送信、メール送信、又はフォルダ送信を行う。
【００３０】
メモリ管理手段２３３は、任意の電子データ、例えば電子原稿へのアクセス手段を提供する。また、メモリ管理手段２３３は、スキャンした画像データなどを管理する。
【００３１】
ユーザ管理手段２３４は、ユーザ毎の情報を管理する。ユーザ管理手段２３４は、例えば、編集手段２４２により編集されたユーザ別のホーム画面のホーム画面情報について、記憶手段２５４に対しＲｅａｄ／Ｗｒｉｔｅを行う。Ｒｅａｄ／Ｗｒｉｔｅは、単にＲ／Ｗとも記載する。
【００３２】
システム管理手段２４０は、システム全体を管理し、例えばホーム画面の制御を行う。システム管理手段２４０は、表示制御手段２４１、編集手段２４２を備える。
【００３３】
表示制御手段２４１は、ホーム画面を表示手段に表示するための表示制御を行い、例えば、ホーム画面情報に基づいてホーム画面の構築（作成）を行ったり、ホーム画面に対する操作を解析し、どのアプリケーション２１０に対する操作かを判断したりする。
【００３４】
また、表示制御手段２４１は、ユーザ管理手段２３４を介してユーザ別のホーム画面のホーム画面情報を取得し、所定ユーザのホーム画面を構築する。表示制御手段２４１は、操作手段２０１を通じてホーム画面の表示を制御する。
【００３５】
編集手段２４２は、ホーム画面の編集を制御し、例えば、ホーム画面の編集画面（ホーム編集画面とも呼ぶ）の構築を行ったり、ユーザによる編集画面の操作を解析したりする。ここでの「編集」とは、ＵＩをカスタマイズすることをいう。また、編集手段２４２は、操作手段２０１を通じて編集されたホーム画面のホーム画面情報を、ユーザ管理手段２３４を介して記憶手段２５４に記憶させる。ホーム画面情報は、後述するがホーム画面内のショートカットの配置（レイアウト）などを示す情報である。
【００３６】
編集手段２４２は、メモリ管理手段２３３が取得した画像（例えば電子原稿）のショートカットを生成し、このショートカットをホーム画面に登録する。編集手段２４２は、画像のショートカットを含むホーム画面のホーム画面情報により、記憶手段２５４に記憶されるホーム画面情報を更新する。
【００３７】
編集手段２４２は、操作手段２０１を通じてカスタマイズされたホーム画面のホーム画面情報を、ユーザ管理手段２３４を介して記憶手段２５４に対しＲ／Ｗを行う。また、編集手段２４２は、電子原稿のショートカットを登録／編集／削除するための画面構築を行う。
【００３８】
スキャン手段２５１は、圧板やＡＤＦ（Auto Document Feeder）から紙原稿をスキャンすることを制御する。プリント手段２５２は、画像データを転写紙に印刷することを制御する。ネットワーク管理手段２５３は、インターネット接続など、外部機器との通信制御を行う。
【００３９】
記憶手段２５４は、データを記憶する手段であり、例えば、ホーム画面のホーム画面情報などを記憶する画面情報記憶手段として機能する。ここでは、ＨＤＤやＳＤやＵＳＢメモリを総称して記憶手段と呼ぶ。また、記憶手段２５４は、画面情報記憶手段とは別又は同じ記憶部に、画像（電子原稿）を記憶する。
【００４０】
操作手段２０１は、例えば操作パネル１５により実現されうる。アプリケーション２１０、各管理手段２３１〜２３４、システム管理手段２４０は、例えばＣＰＵ１１１及びワークメモリとしてのＲＡＭ１１２などで実現されうる。
【００４１】
スキャン手段２５１は、例えばＣＰＵ１１１を用いてスキャナ１２を制御することで実現されうる。プリント手段２５２は、例えばＣＰＵ１１１を用いてプリンタ１３を制御することで実現されうる。ネットワーク管理手段２５３は、例えばＣＰＵ１１１を用いてネットワークインタフェース１６を制御することで実現されうる。
【００４２】
マクロ記憶手段２２０は、例えばＨＤＤ１１４、ＲＯＭ１１３、ＮＶＲＡＭ１１５などのいずれかにより実現されうる。記憶手段２５４は、例えばＨＤＤ１１４、ＳＤ、又はＵＳＢメモリなどにより実現されうる。
【００４３】
なお、画像処理装置Ｂ２０は、画像処理装置Ａ１０と同様の機能を有するため、説明を省略する。画像処理装置Ｂ２０は、画像処理装置Ａ１０からアクセスされる画像を記憶手段に記憶する。以下、具体例を用いて、本実施例の処理について説明する。
【００４４】
《ホーム画面》
まず、機能一覧画面の一例であるホーム画面について説明する。図４は、ホーム画面の一例（その１）を示す図である。図４に示すホーム画面は、画像処理装置Ａ１０の所定のユーザに対するホーム画面の一例である。
【００４５】
図４に示すホーム画面は、コピーショートカット、ファクスショートカット、スキャナショートカット、プリンタショートカット、ドキュメントボックスショートカット、ブラウザショートカット、コピーマクロのショートカット、スキャナマクロのショートカットが表示されている。このホーム画面は、表示制御手段２４１により構築され、操作パネル１５に表示されている。
【００４６】
図４に示すホーム画面は、コピーアプリと、スキャナアプリと、ファクスアプリなどのアプリケーションのショートカットと、「ｅｃｏコピー」、「ｓｅｎｄ  ｔｏ  ｍｅ」などのマクロのショートカットが一つの画面に表示される。ユーザは、ホーム画面に表示されている画像のショートカットを選択した後、アプリケーションやマクロのショートカットを選択してジョブの実行を行うことができる。ジョブの実行の指示などは、操作手段２０１が受け付ける。
【００４７】
《データ構造》
次に、実施例で用いられるデータのデータ構造について説明する。記憶手段２５４は、例えば、ユーザ別のホーム画面情報などを記憶する。
【００４８】
図５は、ホーム画面情報の一例（その１）を示す図である。図５に示すホーム画面情報は、図４に示すホーム画面のホーム画面情報である。ホーム画面情報は、ショートカットの配置を示す情報であり、例えば、ユーザ毎にショートカットの位置を示す番号、ショートカットの種別、付随情報を関連付けて保持する。
【００４９】
位置を示す番号には、配置座標が関連付けられる。ショートカットの種別は、アプリケーション（アプリとも呼ぶ）、マクロなどの種別を含む。付随情報には、アプリケーションの名前やマクロの登録番号などが含まれる。
【００５０】
ホーム画面情報は、ユーザ毎に記憶手段２５４に記憶される。ユーザ管理手段２３４は、例えばログインユーザのホーム画面情報を記憶手段２５４から読み出し、表示制御手段２４１に出力する。これにより、表示制御手段２４１は、図４に示すホーム画面を構築することができる。
【００５１】
＜ユーザＡのホーム編集画面を表示する際の処理＞
次に、ユーザＡがホーム編集画面の表示を指示し、ホーム編集画面が表示されるまでの処理を説明する。図６は、ホーム編集画面を表示する処理の一例を示すシーケンス図である。
【００５２】
ステップＳ１０１で、ログインユーザであるユーザＡは、任意の電子原稿を自身のホーム画面にショートカット登録するために、ユーザインタフェースである操作手段２０１にホーム編集画面の表示を要求する。
【００５３】
ステップＳ１０２で、操作手段２０１は、ホーム編集に関する画面操作がされた旨を編集手段２４２に通知する。
【００５４】
ステップＳ１０３で、編集手段２４２は、ユーザＡがホーム編集画面の表示を要求していることを解析すると、ユーザ管理手段２３４に対し、ユーザＡのホーム画面情報の取得を要求する。
【００５５】
ステップＳ１０４、Ｓ１０５で、ユーザ管理手段２３４は、記憶手段２５４（例えばＨＤＤ）からユーザＡのホーム画面情報を検索し、編集手段２４２にユーザＡのホーム画面情報を出力する。
【００５６】
ステップＳ１０６で、ユーザ管理手段２３４は、取得したユーザＡのホーム画面情報を編集手段２４２に出力する。
【００５７】
ステップＳ１０７で、編集手段２４２は、ショートカット登録の候補となる電子原稿の取得をメモリ管理手段２３３に対して要求する。
【００５８】
ステップＳ１０８で、メモリ管理手段２３３は、電子原稿が保存されている所定の記憶手段（例えば、ＨＤＤ、ＳＤ、ＵＳＢ）から電子原稿を検索する。
【００５９】
ステップＳ１０９で、メモリ管理手段２３３は、所定の記憶手段から電子原稿の検索結果を取得する。
【００６０】
ステップＳ１１０で、メモリ管理手段２３３は、機器に事前に登録しておいた他画像処理装置Ｂ２０やクラウドサービス３０との接続を、ネットワーク管理手段２５３に要求する。
【００６１】
ステップＳ１１１、Ｓ１１２で、ネットワーク管理手段２５３は、予め設定されていたＩＰアドレスなどを用いて、画像処理装置Ｂ２０やクラウドサービス３０との通信を確立する。
【００６２】
ステップＳ１１３で、ネットワーク管理手段２５３は、メモリ管理手段２３３に対し、接続が完了したことを通知する。
【００６３】
ステップＳ１１４〜Ｓ１１７で、メモリ管理手段２３３は、ネットワーク管理手段２５３を用いて、画像処理装置Ｂ２０やクラウドサービス３０の所定の記憶手段に保存されている電子原稿を検索する。メモリ管理手段２３３は、画像処理装置Ｂ２０やクラウドサービス３０からの電子原稿の検索結果を取得する。
【００６４】
ステップＳ１１８で、メモリ管理手段２３３は、ショートカット候補取得要求の結果として、検索した電子原稿のサムネイル画像＋メタデータ（文書名、パス、等）を編集手段２４２に出力する。メモリ管理手段２３３は、電子原稿のサムネイルを作成できる。
【００６５】
サムネイル画像を出力することでその画像の特徴を把握しやすくなるが、必ずしもサムネイル画像を出力する必要はない。なお、メモリ管理手段２３３は、編集手段２４２にショートカット候補取得結果を通知する際、ユーザＡがアクセス権を持たない電子原稿を間引くことも可能である。
【００６６】
ステップＳ１１９で、編集手段２４２は、取得したユーザＡのホーム画面情報とショートカット候補からホーム編集画面を構築する。ホーム編集画面には、ショートカット候補を登録するための登録ボタンなどを有する。
【００６７】
ステップＳ１２０で、編集手段２４２は、構築したホーム編集画面を表示するよう操作手段２０１に要求する。
【００６８】
ステップＳ１２１で、操作手段２０１は、ホーム編集画面を表示する。これにより、ユーザＡは、ホーム編集画面から、画像（例えば電子原稿）のショートカットを登録することができるようになる。
【００６９】
＜電子原稿Ａ、Ｂのショートカット登録＞
次に、電子原稿Ａ、Ｂのショートカット登録について説明する。図７は、画像のショートカット登録の一例を示すシーケンス図である。
【００７０】
ステップＳ２０１で、ログインユーザであるユーザＡは、自身のホーム画面の登録位置Ｎｏ９に電子原稿Ａ、登録位置Ｎｏ１０に電子原稿Ｂのショートカット登録を、操作手段２０１に要求する。ユーザＡは、ホーム編集画面から、電子原稿を選択し、ショートカット登録ボタンを押下することなどで要求できる。つまり、操作手段２０１は、電子原稿をアイコン登録することを示すユーザ操作を受け付ける。
【００７１】
ステップＳ２０２で、操作手段２０１は、ホーム編集に関する画面操作がされたことを編集手段２４２に通知する。このときの画面操作の内容は、ユーザＡ、ショートカット登録（登録位置＝Ｎｏ９、登録対象＝電子原稿Ａ、登録位置＝Ｎｏ１０、登録対象＝電子原稿Ｂ）である。
【００７２】
ステップＳ２０３で、編集手段２４２は、画面操作の内容を解析すると、ユーザ管理手段２３４を用いて、ユーザＡのホーム画面情報を更新する。このときの更新内容は、ショートカット登録（登録位置＝Ｎｏ９、登録対象＝電子原稿Ａ、登録位置＝Ｎｏ１０、登録対象＝電子原稿Ｂ）である。つまり、編集手段２４２は、電子原稿のアイコンをホーム画面に登録し、そのホーム画面の画面情報を用いて記憶手段２５４に記憶されている画面情報を更新する。
【００７３】
ステップＳ２０４、Ｓ２０５で、ユーザ管理手段２３４は、記憶手段２５４であるＨＤＤ（画面情報記憶手段）に記憶されているユーザＡのホーム画面情報を更新する。これにより、電子原稿Ａ、ＢのショートカットがユーザＡのホーム画面情報に含まれる。
【００７４】
ステップＳ２０６で、ユーザ管理手段２３４は、ホーム画面情報の更新が完了したことを編集手段２４２に通知する。
【００７５】
ステップＳ２０７で、編集手段２４２は、電子原稿Ａ、Ｂのショートカットの登録が完了したことを操作手段２０１に通知する。
【００７６】
ステップＳ２０８で、操作手段２０１は、電子原稿Ａ、Ｂのショートカットの登録結果を表示する。これにより、ユーザＡは、電子原稿のショートカット登録を行うことができる。
【００７７】
《更新後のホーム画面情報》
次に、図７により更新されたホーム画面情報について説明する。図８は、ホーム画面情報の一例（その２）を示す図である。
【００７８】
図８に示すホーム画面情報には、登録位置Ｎｏ９に、ショートカットの種別「電子原稿」、付随情報「（ＵＳＢ：）￥画像１．ｊｐｇ」、「９＿サムネイル．ｊｐｇ」が保持され、登録位置Ｎｏ１０に、ショートカットの種別「電子原稿」、付随情報「（ＨＤＤ：）￥画像２．ｊｐｇ」、「１０＿サムネイル．ｊｐｇ」が保持される。
【００７９】
登録位置Ｎｏ９の電子原稿が電子原稿Ａであり、登録位置Ｎｏ１０の電子原稿が電子原稿Ｂであることを表す。また、付随情報では、電子原稿にアクセスするためのパスやショートカットのアイコン画像を示す情報などが保持される。これにより、編集手段２４２は、ユーザ管理手段２３４を用いてホーム画面情報を更新することができる。
【００８０】
＜ユーザＡのホーム画面を表示する処理＞
次に、図８に示したホーム画面情報に基づく、ユーザＡのホーム画面を表示する処理について説明する。図９は、ユーザＡのホーム画面を表示する処理の一例を示すシーケンス図である。
【００８１】
ステップＳ３０１で、ログインユーザであるユーザＡは、自身のホーム画面表示を操作手段２０１に要求する。ユーザＡは、ホーム画面を表示するボタンを押下するなどしてこの要求を行う。
【００８２】
ステップＳ３０２で、操作手段２０１は、ホーム編集に関する画面操作がされた旨を表示制御手段２４１に通知する。この画面操作の内容は、ユーザＡのホーム画面表示要求である。
【００８３】
ステップＳ３０３で、表示制御手段２４１は、ユーザＡがホーム編集表示を要求していることを解析すると、ユーザ管理手段２３４に、ユーザＡのホーム画面情報の取得を要求する。
【００８４】
ステップＳ３０４、Ｓ３０５で、ユーザ管理手段２３４は、記憶手段２５４であるＨＤＤ（画面情報記憶手段）からユーザＡのホーム画面情報を検索する。
【００８５】
ステップＳ３０６で、ユーザ管理手段２３４は、表示制御手段２４１に対し、ユーザＡのホーム画面情報を出力する。
【００８６】
ステップＳ３０７で、表示制御手段２４１は、ホーム画面情報に基づきホーム画面の構築を行う。このとき、表示制御手段２４１は、電子原稿のショートカット以外のショートカットを含むホーム画面を作成する。
【００８７】
ステップＳ３０８で、表示制御手段２４１は、電子原稿Ａ，Ｂが利用可能な状態にあるかをメモリ管理手段２３３に問い合わせる。利用可能な状態とは、その画像にアクセスできるか否かを表す。
【００８８】
ステップＳ３０９で、表示制御手段２４１は、電子原稿Ａ、Ｂのショートカットを非表示とした状態で操作手段２０１にユーザＡのホーム画面表示を要求する。電子原稿Ａ、Ｂの利用可否の応答を待つ間、他の機能が利用できないのはユーザにとって利便性が悪いためである。
【００８９】
ステップＳ３１０で、操作手段２０１は、電子原稿Ａ、Ｂのショートカットが非表示であるホーム画面を表示する。
【００９０】
ステップＳ３１１で、メモリ管理手段２３３は、電子原稿Ａが保存されているＵＳＢから電子原稿を検索し、また、電子原稿Ｂが保存されているＨＤＤから電子原稿Ｂを検索し、アクセスできるかを確かめる。
【００９１】
ステップＳ３１２で、メモリ管理手段２３３は、電子原稿Ａ、Ｂともに利用可能な状態であることを確認したとする。
【００９２】
ステップＳ３１３で、メモリ管理手段２３３は、電子原稿Ａ、Ｂの利用可否問い合わせの応答（ＯＫである旨の応答）を、表示制御手段２４１に返す。
【００９３】
ステップＳ３１４で、表示制御手段２４１は、電子原稿Ａ、Ｂを表示するようホーム画面の更新を行う。このとき、表示制御手段２４１は、電子原稿Ａ、Ｂのフォーマットからどのアプリケーションが利用可能かを判定する。
【００９４】
表示制御手段２４１は、画像のフォーマットと、出力可能なアプリケーションとを関連づけた情報（出力可能アプリ情報とも呼ぶ）を保持する。表示制御手段２４１は、電子原稿の拡張子などからフォーマットを特定し、出力可能アプリ情報に基づいて、出力可能なアプリケーションを判定する。
【００９５】
表示制御手段２４１は、画像のショートカットボタンとなるサムネイル画像から所定範囲以内となる近傍に、利用可能なアプリケーションを示す情報（例えばアイコン）を表示するようにホーム画面を作成する。これにより、ユーザが、電子原稿のショートカットを見て、どのアプリケーションを利用することができるか容易に把握することができる。
【００９６】
ステップＳ３１５で、表示制御手段２４１は、操作手段２０１に対し、電子原稿Ａ、Ｂのショートカット表示を行うため、ホーム画面の更新を要求する。
【００９７】
ステップＳ３１６で、操作手段２０１は、更新されたホーム画面を表示する。これにより、機能の一覧が表示されるホーム画面に、画像のショートカットを表示することができる。
【００９８】
《出力可能アプリ情報》
次に、図９のステップＳ３１４で用いられる出力可能アプリ情報について説明する。図１０は、出力可能アプリ情報の一例を示す図である。図１０に示す例では、画像のフォーマットに対し、印刷、メール送信、ファクス送信などのアプリケーションを利用できるか否かが関連付けられている。
【００９９】
例えば、図１０に示す例では、電子原稿である画像のフォーマットが「ＪＰＥＧ」であれば、印刷系、メール送信を行うアプリケーションを利用することができることを示している。
【０１００】
《ホーム画面》
次に、画像のショートカットが表示されるホーム画面について説明する。図１１は、ホーム画面の一例（その２）を示す図である。図１１は、図９のステップＳ３１６で表示されるホーム画面を示す。
【０１０１】
図１１に示す例では、電子原稿Ａのショートカットｉｃ１１と、電子原稿Ｂのショートカットｉｃ１２とが、ホーム画面に表示される。また、ショートカットｉｃ１１、ｉｃ１２のアイコン画像は、例えば各画像のサムネイル画像である。
【０１０２】
また、画像のショートカットｉｃ１１、ｉｃ１２には、その画像を出力することができるアプリケーションの識別情報が近傍に表示される。例えば、ショートカットｉｃ１１には、スキャナアプリの識別情報ｉｄ１１、プリンタアプリの識別情報ｉｄ１２が表示される。また、ショートカットｉｃ１２には、コピーアプリの識別情報ｉｄ１３が表示される。これにより、ユーザは、ショートカットｉｃ１１の画像に対して、スキャナとプリンタとを利用することができることを容易に把握することができるようになる。
【０１０３】
図１１に示す例では、アプリケーションの識別情報は、そのアプリケーションの小アイコンが用いられる。小アイコンとは、ホーム画面に表示される通常のアイコンのサイズを縮小したアイコンである。識別情報を小アイコンにすることで視認性を向上させることができる。
【０１０４】
また、図９のステップＳ３１３で、電子原稿Ａの利用が不可である応答を受けた場合に表示されるホーム画面について説明する。図１２は、ホーム画面の一例（その３）を示す図である。図１２に示す例では、電子原稿Ａにアクセスできず、利用不可能となっているときに表示されるアイコンｉｃ１３がホーム画面内に表示される。
【０１０５】
アイコンｉｃ１３は、アクセスできないなどの理由で利用不可能な電子原稿があるときに表示されるアイコンである。アイコンｉｃ１３は、不明であることが分かるように、「？」マークの画像が表示される。
【０１０６】
つまり、表示制御手段２４１は、ショートカット登録された画像へのアクセス状態に応じて、利用可能な画像のショートカットと、利用不可能なショートカットとを区別して表示手段に表示するように制御する。これにより、ユーザは、どの電子原稿が利用できて、どの電子原稿が利用できないかを容易に把握することができるようになる。
【０１０７】
＜画像のショートカット選択後にジョブ実行＞
次に、画像（電子原稿）のショートカットを選択した後に、ジョブを実行する処理について説明する。図１３は、画像のショートカット選択後に、ジョブ実行する処理の一例を示すシーケンス図である。
【０１０８】
ステップＳ４０１で、ログインユーザであるユーザＡは、自身のホーム画面から電子原稿Ａのショートカットの選択を操作手段２０１に要求する。ユーザＡは、電子原稿Ａのショートカットを選択することで、操作手段２０１は、この要求を検知する。
【０１０９】
ステップＳ４０２で、操作手段２０１は、ホーム編集に関する画面操作がされた旨を表示制御手段２４１に通知する。この画面操作の内容は、電子原稿Ａのショートカットの選択を示す。
【０１１０】
ステップＳ４０３で、表示制御手段２４１は、電子原稿Ａの選択を要求していることを解析すると、電子原稿Ａのフォーマットから出力可能アプリ情報に基づいて利用不可なアプリを判定する。表示制御手段２４１は、電子原稿Ａを選択状態にし、利用不可なアプリケーションを半輝度状態となるようホーム画面を構築し、操作手段２０１にホーム画面の更新を要求する。
【０１１１】
つまり、表示制御手段２４１は、アプリケーション又はマクロのショートカットに対し、選択された画像（電子原稿）のフォーマットに応じて利用可能か否かを区別して表示制御する。これにより、ユーザは、利用不可能なアプリケーションやマクロのショートカットを間違えて選択することがなくなる。
【０１１２】
ステップＳ４０４で、操作手段２０１は、更新されたホーム画面を表示する。更新されたホーム画面は、電子原稿Ａが選択状態になっており、利用不可能なアプリケーションやマクロのショートカットは半輝度状態になっている。
【０１１３】
ステップＳ４０５で、ログインユーザであるユーザＡは、自身のホーム画面からスキャナマクロＮｏ２５の選択を、操作手段２０１に要求する。ユーザＡは、スキャナマクロＮｏ２５のショートカットを選択することで、操作手段２０１は、この要求を検知する。
【０１１４】
ステップＳ４０６で、操作手段２０１は、ホーム編集に関する画面操作がされた旨を表示制御手段２４１に通知する。この画面操作の内容は、スキャナマクロＮｏ２５の選択を示す。
【０１１５】
ステップＳ４０７で、表示制御手段２４１は、スキャナマクロＮｏ２５選択を要求していることを解析すると、スキャナマクロＮｏ２５が選択状態、ジョブ実行ボタンを輝度表示となるようホーム画面を更新する。表示制御手段２４１は、操作手段２０１に対し、ホーム画面の更新を要求する。
【０１１６】
ステップＳ４０８で、操作手段２０１は、更新されたホーム画面を表示する。更新されたホーム画面は、スキャナマクロＮｏ２５のショートカットが選択状態になっている。
【０１１７】
ステップＳ４０９で、ログインユーザであるユーザＡは、自身のホーム画面からジョブ実行を操作手段２０１に要求する。ユーザＡは、ジョブ実行ボタンを押下することで、操作手段２０１は、この要求を検知する。
【０１１８】
ステップＳ４１０で、操作手段２０１は、ホーム編集に関する画面操作がされた旨を表示制御手段２０１に通知する。この画面操作の内容は、ジョブ実行を示す。
【０１１９】
ステップＳ４１１で、表示制御手段２４１は、スキャナアプリ２１３に対し、マクロＮｏ２５の選択を通知する。
【０１２０】
ステップＳ４１２で、表示制御手段２４１は、スキャナアプリ２１３に対し、電子原稿Ａのパスを通知する。又は表示制御手段２４１は、電子原稿Ａのパスから電子原稿Ａを取得し、電子原稿Ａをスキャナアプリ２１３に出力する。
【０１２１】
ステップＳ４１３で、表示制御手段２４１は、スキャナアプリ２１３に対し、ジョブ実行を要求する。
【０１２２】
つまり、表示制御手段２４１は、画像のショートカットが選択された後に、アプリケーション又はマクロの実行が要求された場合、選択された画像を入力画像としてジョブを実行するよう要求する。これにより、ユーザは、ジョブの実行の際、画像を検索する手間を省くことができる。
【０１２３】
《ホーム画面》
次に、図１３のステップＳ４０４で表示されるホーム画面について説明する。図１４は、ホーム画面の一例（その４）を示す図である。図１４に示す例では、電子原稿Ａのショートカットｉｃ１１が選択状態であり、利用不可能なショートカットが半輝度になっている。例えば、図１４に示す領域ａｒ１１内のショートカットが全て半輝度になっている。
【０１２４】
選択状態とは、例えば、ショートカットｉｃ１１の輝度値が他のショートカットの輝度値と異なる状態を示す。
【０１２５】
＜１つの画像から複数のジョブ実行＞
次に、画像のショートカットを選択し、複数のジョブを実行する場合について説明する。図１５は、画像のショートカット選択後に、複数のジョブを実行する処理の一例を示すシーケンス図である。
【０１２６】
ステップＳ５０１〜Ｓ５０８の処理は、図１３に示すステップＳ４０１〜Ｓ４０８の処理と同一であるため、その説明を省略する。
【０１２７】
ステップＳ５０９で、ログインユーザであるユーザＡは、自身のホーム画面からプリンタアプリの選択を、操作手段２０１に要求する。ユーザＡは、プリンタのショートカットを選択することで、操作手段２０１は、この要求を検知する。
【０１２８】
ステップＳ５１０で、操作手段２０１は、ホーム編集に関する画面操作がされた旨を表示制御手段２４１に通知する。この画面操作の内容は、プリンタアプリの選択を示す。
【０１２９】
ステップＳ５１１で、表示制御手段２４１は、プリンタアプリの選択を要求していることを解析すると、プリンタアプリが選択状態、ジョブ実行ボタンを輝度表示となるようホーム画面を更新する。表示制御手段２４１は、操作手段２０１に対し、ホーム画面の更新を要求する。
【０１３０】
ステップＳ５１２で、操作手段２０１は、更新されたホーム画面を表示する。更新されたホーム画面は、プリンタアプリのショートカットが選択状態になっている。
【０１３１】
ステップＳ５１３〜Ｓ５１７の処理は、図１３に示すステップＳ４０９〜Ｓ４１３の処理と同一であるため、その説明を省略する。
【０１３２】
ステップＳ５１８で、表示制御手段２４１は、プリンタアプリ２１５に対し、プリンタアプリの選択を通知する。
【０１３３】
ステップＳ５１９で、表示制御手段２４１は、プリンタアプリ２１５に対し、電子原稿Ａのパスを通知する。又は表示制御手段２４１は、電子原稿Ａのパスから電子原稿Ａを取得し、電子原稿Ａをプリンタアプリ２１５に出力する。
【０１３４】
ステップＳ５２０で、表示制御手段２１４は、プリンタアプリ２１３に対し、ジョブ実行を要求する。
【０１３５】
つまり、表示制御手段２４１は、画像のショートカットの選択後に、アプリケーション又はマクロのショートカットを複数選択できるように表示制御する。
【０１３６】
これにより、ユーザは、複数アプリのジョブを選択することができるので、ユーザ操作を簡潔にすることができる。
【０１３７】
《ホーム画面》
次に、図１５のステップＳ５１２で表示されるホーム画面について説明する。図１６は、ホーム画面の一例（その５）を示す図である。図１６に示す例では、電子原稿Ａのショートカットｉｃ１１が選択状態であり、プリンタのショートカットｉｃ２１とスキャナマクロＮｏ２５のショートカットｉｃ２２とが選択状態になっている。図１６に示す領域ａｒ１２内のショートカットは、選択可能な状態になっている。
【０１３８】
なお、選択したショートカットにはモード変更ボタンが表示され、そのアプリケーション又はマクロの設定値を変更することができる。
【０１３９】
＜２つの画像を選択し、１のジョブを実行＞
次に、画像のショートカットを複数選択し、１つのジョブを実行する場合について説明する。図１７は、画像のショートカットを複数選択後に、１つのジョブを実行する処理の一例を示すシーケンス図である。
【０１４０】
ステップＳ６０１〜Ｓ６０４の処理は、図１３に示すステップＳ４０１〜Ｓ４０４の処理と同様であるため、その説明を省略する。
【０１４１】
ステップＳ６０５で、ログインユーザであるユーザＡは、自身のホーム画面から電子原稿Ｂのショートカットの選択を操作手段２０１に要求する。ユーザＡは、電子原稿Ｂのショートカットを選択することで、操作手段２０１は、この要求を検知する。
【０１４２】
ステップＳ６０６で、操作手段２０１は、ホーム編集に関する画面操作がされた旨を表示制御手段２４１に通知する。この画面操作の内容は、電子原稿Ｂのショートカットの選択を示す。
【０１４３】
ステップＳ６０７で、表示制御手段２４１は、電子原稿Ｂの選択を要求していることを解析すると、電子原稿Ｂのフォーマットから出力可能アプリ情報に基づいて利用不可なアプリを判定する。表示制御手段２４１は、電子原稿Ｂを選択状態にし、利用不可なアプリケーションを半輝度状態となるようホーム画面を構築し、操作手段２０１にホーム画面の更新を要求する。
【０１４４】
このとき、表示制御手段２４１は、選択された画像のショートカットに対し、選択された順番を示す番号を画像のショートカットに付与する。これにより、ユーザは、出力順序を確認しながら操作を行うことができるため、誤操作防止につながる。
【０１４５】
ステップＳ６０８で、操作手段２０１は、更新されたホーム画面を表示する。更新されたホーム画面は、電子原稿Ａ、Ｂが選択状態になっており、利用不可能なアプリケーションやマクロのショートカットは半輝度状態になっている。
【０１４６】
以降の処理であるステップＳ６０９〜Ｓ６１７の処理は、図１５に示すステップＳ５０９〜Ｓ５１４、Ｓ５１８〜Ｓ５２０の処理と同様であるため、その説明を省略する。
【０１４７】
これにより、ユーザは、複数の画像に対して、１つのジョブを実行することができるので、ユーザ操作を簡潔にすることができる。
【０１４８】
《ホーム画面》
次に、図１７のステップＳ６０８で表示されるホーム画面について説明する。図１８は、ホーム画面の一例（その６）を示す図である。図１８に示す例では、電子原稿Ａのショートカットｉｃ１１と電子原稿Ｂのショートカットｉｃ１２とが選択状態であり、プリンタのショートカットが選択可能状態になっている。
【０１４９】
なお、ショートカットｉｃ１１には、選択された順番を示す番号ｎｕ１１である「１」が付与され、ショートカットｉｃ１２には、選択された順番を示す番号ｎｕ１２である「２」が付与される。
【０１５０】
以上、実施例によれば、画像のショートカットを機能一覧画面に表示することで、機能を実行する前に行う電子原稿の検索操作にかかる手間を軽減することができる。
【０１５１】
［変形例］
実施例の画像処理装置で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録されて提供される。
【０１５２】
また、実施例の画像処理装置で実行されるプログラムを、インターネット等のネットワークに接続されたコンピュータ上に格納し、ネットワーク経由でダウンロードさせることにより提供するように構成してもよい。また、実施例の画像処理装置で実行されるプログラムをインターネット等のネットワーク経由で提供または配布するように構成してもよい。
【０１５３】
また、実施例の画像処理装置で実行されるプログラムを、ＲＯＭ等に予め組み込んで提供するように構成してもよい。
【０１５４】
実施例の画像処理装置で実行されるプログラムは、前述した各手段を含むモジュール構成となっており、実際のハードウェアとしてはＣＰＵ１１１がＲＯＭ１１３やＨＤＤ１１４からプログラムを読み出して実行することにより上記各手段のうち１又は複数の各手段がＲＡＭ１１２上にロードされ、１又は複数の各手段がＲＡＭ１１２上に生成されるようになっている。
【０１５５】
なお、本発明は、上記実施例そのままに限定されるものではなく、実施段階ではその要旨を逸脱しない範囲で構成要素を変形して具体化することができる。また、上記実施例に開示されている複数の構成要素の適宜な組み合わせにより、種々の発明を形成することができる。例えば、実施例に示される全構成要素からいくつかの構成要素を削除してもよい。
【符号の説明】
【０１５６】
１  画像処理システム
１０  画像処理装置
１１  コントローラ
１２  スキャナ
１３  プリンタ
１４  モデム
１５  操作パネル
１６  ネットワークインタフェース
１７  ＳＤカードスロット
２０１  操作手段
２１０  アプリケーション
２２０  マクロ記憶手段
２４０  システム管理手段
２４１  表示制御手段
２４２  編集手段
２３４  ユーザ管理手段
２５３  ネットワーク管理手段
２５４  記憶手段
【先行技術文献】
【特許文献】
【０１５７】
【特許文献１】特開２０１０−１１４８２５号公報
【図１】
2013145483.tif 000003
【図２】
2013145483.tif 000004
【図３】
2013145483.tif 000005
【図４】
2013145483.tif 000006
【図５】
2013145483.tif 000007
【図６】
2013145483.tif 000008
【図７】
2013145483.tif 000009
【図８】
2013145483.tif 000010
【図９】
2013145483.tif 000011
【図１０】
2013145483.tif 000012
【図１１】
2013145483.tif 000013
【図１２】
2013145483.tif 000014
【図１３】
2013145483.tif 000015
【図１５】
2013145483.tif 000016
【図１７】
2013145483.tif 000017
【図１４】
2013145483.tif 000018
【図１６】
2013145483.tif 000019
【図１８】
2013145483.tif 000020